(57)【要約】【課題】  ビデオカメラ前面に配置されている光学受光部又は発光部を指で覆い隠して、機能を阻害するのを防止する。【解決手段】  ビデオカメラの光学受光部または発光部を指で覆ったことを警告する凸形状を設けて、触れることで光学受光部または発光部を指で覆ったことをユーザーに認識させる。光学受光部または発光部から離れた位置に上記形状とは別に、凸形状を設けて、ユーザーが凸形状を目安にビデオカメラを把持できる案内形状が付いている。案内形状である凸形状は光学受光部又は発光部と一定距離はなれており、凸形状に指が載っている状態で光学受光部または発光部に指がかからない位置に備えられている。【選択図】  図４
2008032914.tif 000002
【特許請求の範囲】
【請求項１】
光学的受光または発光手段を有する撮像装置において、
該撮像装置を把持した場合に光学的受光または発光部に指が侵入したことを警告する警告手段と、
該撮像装置を把持した場合に前記光学的受光または発光手段近傍に把持する指の位置を案内する案内手段を設けたことを特徴とする撮像装置。
【請求項２】
上記警告手段は指の触覚にて警告する形状であることを特徴とする請求項１に記載の撮像装置。
【請求項３】
上記案内手段は指の触覚にて案内する形状であることを特徴とする請求項１または２に記載の撮像装置。
【請求項４】
上記案内手段に光学的受光または発光手段近傍に把持する指が触れている状態で、
光学的受光または発光部に指が掛からない位置に案内手段が配置されていることを特徴とする請求項１から３のいずれかに記載の撮像装置。
【請求項５】
上記案内手段が指の形に沿ったくぼみ形状であることを特徴とする請求項１から４のいずれかに記載の撮像装置。
【請求項６】
上記案内手段の一部または全部が案内手段の周辺部と異なる材質で形成されていることを特徴とする請求項１から５のいずれかに記載の撮像装置。
【発明の詳細な説明】
【技術分野】
【０００１】
本発明は光学受光部または発光部を備えた撮像装置に関するものである。
【背景技術】
【０００２】
従来よりビデオカメラには、撮影時の機能として使用するためにストロボ発光部やＡＦ発光・受光部等の光学的発光・受光部が設けられている。これらの発光・受光部は被写体に向けて使用するため、撮影レンズと同一面の撮影レンズ近傍に配置される。
【０００３】
また従来より前面を手の人差し指・中指・薬指などで支え、背面を親指で支えて撮影する小型ビデオカメラがある（特許文献１参照）。
【０００４】
つまり、これらの指は前面の撮影レンズ近傍に添えて本体を支えるが、撮影レンズの近傍には発光・受光部が配置されていることがあり、不用意に指が発光・受光部を覆ったまま撮影されてしまうことがあった。
【０００５】
撮影者が発光・受光部を覆ったまま撮影しないように、特許文献２では、ストロボ発光部近傍に、撮影者がカメラ本体をホールドしたときに接触でき、前記ストロボ発光部の前面を覆うことを阻止するための突出部を設けている。
【特許文献１】特開２００２−３２５１９０号公報
【特許文献２】特開平８−２０１８８７号公報
【発明の開示】
【発明が解決しようとする課題】
【０００６】
しかしながら、従来の技術では、発光・受光部を覆った指をどこに退避させることがよいのか目安がなく、突出部に触れることで警告を受けた指が本体を握ることなく、突出部そのものに引っ掛けたり浮かせたりして撮影する可能性があった。このような誤った把持方法ではカメラを安定させることが出来ず、そのまま撮影すると手ブレや長時間撮影時の疲労につながっていた。
【課題を解決するための手段】
【０００７】
本発明の撮像装置は光学的受光または発光手段を有し、該撮像装置を把持した場合に光学的受光または発光部に指が侵入する警告手段と、該撮像装置を把持した場合に前記受光または発光手段近傍に把持する指の位置の案内手段を設けたことを特徴としている。
【０００８】
また、本発明の他の特徴とするところは、警告手段が指の触覚にて警告する形状であることを特徴とする。
また、本発明の他の特徴とするところは、上記案内手段が指の触覚にて案内する形状であることを特徴とする。
また、本発明の他の特徴とするところは、光学的受光または発光手段近傍に把持する指が触れている状態で、光学的受光または発光部に指が掛からない位置に案内手段が配置されていることを特徴としている。
また、本発明の他の特徴とするところは、上記案内手段が指の形に沿ったくぼみ形状であることを特徴としている。
また、本発明の他の特徴とするところは、上記案内手段の一部または全部が案内手段の周辺部と異なる材質で形成されていることを特徴としている。
【発明の効果】
【０００９】
以上説明したように、本発明によれば、光学的受光部または発光部を覆うことを防止し、安定した把持方法を促すことができる。
【発明を実施するための最良の形態】
【００１０】
（実施例１）
以下に図面を参照しながら本発明の撮像装置の実施形態について説明する。図１，２，３は本発明の実施形態の全体斜視図及び部分拡大図である。
【００１１】
図１の１０は撮像部や表示部を備えるビデオカメラ本体である。１０１は被写体像を撮像する撮像レンズであり、１０２は撮影時にＡＦ（オートフォーカス）を制御する際に必要な被写体像を受光するためのＡＦセンサーなどを内側に備えたＡＦ窓部である。１０３はズーム・トリガーユニットであり、画像を撮影するトリガースイッチや画像の画角を変えるズーム切換スイッチなどが配置されている。１０４はグリップベルトであり、ここでは右手をグリップベルトとビデオカメラ本体との間に通して使用すると安定して把持できる。
【００１２】
図２の２０はパワースイッチユニットで、その内容は、２０１はパワーＯＦＦ／撮影／再生モード切替が可能なモードスイッチ、２０２はトリガースイッチ、２０３は撮影／再生条件などの切換できるメニュースイッチである。２０に配置されているスイッチはビデオカメラ本体を把持して撮影している際に、頻繁に使用するスイッチである。
【００１３】
本発明に搭載されているＡＦのシステム図を図５に示す。撮像レンズ１０１から入ってきた映像を５０５の撮像素子で取り込み、５０１の信号処理部にて画像のデジタル変換を行なう。１０２のＡＦ窓から入ってきた光は５０３のＡＦセンサーにて受光及び処理を行う。５０２の制御部では５０１の信号処理部からの情報と５０３のＡＦセンサーからの情報を元に被写体距離を計算し、レンズのピントが合う方向にレンズを動かすよう、５０４のレンズ駆動部への駆動情報を送る。５０４レンズ駆動部は５０２の制御部からの情報によりレンズ１０１を動かし、撮影画像のピントのずれを修正することができる。
【００１４】
ビデオカメラ本体を把持した状態を表した図が図３である。右手をグリップベルト１０４とビデオカメラ本体との間に通して把持する。親指は２０のパワーユニット周りに添えて、頻繁に使うスイッチが容易に親指で操作できるよう配置されている。人差し指は１０３のズーム・トリガーユニットの近傍に添えて、撮影中にズームレバーを人差し指で操作できるようになっている。中指・薬指はビデオカメラ本体の前面を握って支える。
【００１５】
図３のように把持する際、ユーザーが気づかないうちにレンズ近傍の右手中指がＡＦ窓部を覆い隠して撮影してしまい、ＡＦ機能を阻害し、ピントの合わない画像が撮影されてしまう可能性がある。そこで、３０１はＡＦ窓の脇に設けられた凸形状になっており、右手中指が前面を握る際に誤ってＡＦ窓部を指で覆わないよう、ユーザーに警告することができる。図４では警告のために設けられた凸形状３０１を側面から見ることができる。１０２の窓部に対して３０１は光軸方向前側に凸形状となっている。この上に指が触れると、指の腹に凸形状の感触が伝わり、ＡＦ窓部に指が掛かっている状態をユーザは認識することができる。３０１の凸形状で気づいて逃がした指が、正しい位置に戻されるよう案内するために、３０２は右手中指が握る場所の目安となる凸形状である。ビデオカメラ本体を把持するときには、３０２の凸形状を右手中指の指の腹に当てることで、正しい持ち方ができ、安定したＡＦ窓のケラレのない持ち方を常に認識させることができる。図４は位置案内凸形状３０２の断面図である。凸形状の上面は球面上で、凸形状の周囲の面４０１より０．５ｍｍ程度高く設定され、ユーザーが指の腹を凸形状に乗せていても、強い違和感を感じず、適度に位置を意識できる形状となっている。また、１０２のＡＦ窓は３０２の指の目安になる凸形状と指の厚み以上の幅を持つ段差になっており、３０２の凸形状に指が触れている限り同一の指でのＡＦ窓部へ指の乗り上げが不可能である。そのため３０２の凸形状が右手中指の凸形状に触れている限り、１０２のＡＦ窓に指のかからない構成になっている。
【００１６】
（実施例２）
図６では右手中指の位置案内の凸形状が違う第２の実施例を示している。６０１は右手中指が握る場所の目安となる凸形状である。図７に６０１の位置案内の凸形状の断面図を記す。凸形状の断面は撮影状態での上下方向に変化する円弧状のくぼみである。指を凸形状に置いた時に、指の形に沿うように円弧状の面になっており、指の位置だけでなく指の方向までも規制することができるため、正しい持ち方を促すのにより効果的である。また、６０１の凸部は、ゴム材質で作られている。６０１の周辺部６０２はＰＣなどのプラスチック材料で作られており、ユーザーが凸形状を触った際に触覚で材料の違いがわかりグリップの位置を意識しやすい。また、ゴムに指を掛けることにより、指と凸形状との摩擦が増し、ビデオカメラ本体をしっかり保持することができ、より安定して撮影を行なうことができる。
【００１７】
また、本説明では図示していないが、光学的受光または発光部はＡＦ機能部に限らず、リモコン等の受光部やストロボ・撮影用ライト・キューライト等の発光部でも同様の構成を用いることで、指が覆い被さることなく撮影することができる。
【図面の簡単な説明】
【００１８】
【図１】本発明の第１の実施例を説明する撮像装置の全体斜視図である。
【図２】撮像装置の別の全体斜視図と部分拡大図である。
【図３】撮像装置を手で把持したことを示す全体斜視図と部分拡大図である。
【図４】撮像装置のＡＦ窓部周辺を拡大した図である。
【図５】撮像装置のＡＦ処理を説明するシステム図である。
【図６】本発明の第２の実施例を説明する撮像装置の全体斜視図である。
【図７】図６の撮像装置のＡＦ窓部周辺を拡大した図である。
【符号の説明】
【００１９】
１０  ビデオカメラ本体
１０１  撮像レンズ
１０２  ＡＦ窓部
１０３  ズーム・トリガーユニット
１０４  グリップベルト
２０  パワーユニット部詳細
２０１  モードスイッチ
２０２  トリガースイッチ
２０３  メニュースイッチ
３０  ＡＦ窓部詳細
３０１  ＡＦ窓部の指ケラレを警告するための凸形状
３０２  ＡＦ窓部の指ケラレを防止し案内するための凸形状
４１  ＡＦ窓部の指ケラレを防止し案内するための凸形状の断面図
５０１  信号処理部
５０２  制御部
５０３  ＡＦセンサー
５０４  レンズ駆動部
５０５  撮像素子
６０１  ＡＦ窓部の指ケラレを防止し案内するための凸形状
６０２  ＡＦ窓部周辺部
７１  ＡＦ窓部の指ケラレを防止し案内するための凸形状の断面図
【図１】
2008032914.tif 000003
【図２】
2008032914.tif 000004
【図３】
2008032914.tif 000005
【図４】
2008032914.tif 000006
【図５】
2008032914.tif 000007
【図６】
2008032914.tif 000008
【図７】
2008032914.tif 000009